【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
現像剤収納部に収納されている現像剤の残量を検出するために用いられる光ガイドにおいて、
前記現像剤収納部に取り付けられた際に、前記現像剤収納部に設けられた開口を塞ぐための塞ぎ部と、
前記現像剤収納部に取り付けられた際に、前記塞ぎ部に対して前記現像剤収納部の外側に位置する側に設けられた、光を導くための光ガイド部と、
前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、
前記現像剤収納部に取り付けられた際に、前記塞ぎ部に対して前記現像剤収納部の内側に位置する側に設けられた、前記光ガイド部の長手方向と交差する方向へ傾斜している内側斜面部と、
を有し、
光透過性の材料で一体成形されたことを特徴とする光ガイド。
【請求項２】
前記光ガイドは、発光部材から発せられた光を前記現像剤収納部内へ導くために用いられる、及び、前記現像剤収納部内を通過した光を受光部材へ導くために用いられる、そして、更に、前記塞ぎ部には、前記現像剤収納部内に収納されている現像剤の色を目視することができる目視部が設けられていることを特徴とする請求項１に記載の光ガイド。
【請求項３】
前記現像剤収納部内を通過した光を前記受光部材へ導くために用いられる光ガイドは、前記光ガイド部の長手方向において、前記光ガイド部の前記塞ぎ部側の端部とは反対側の端部が凸面であることを特徴とする請求項２に記載の光ガイド。
【請求項４】
電子写真画像形成装置本体に着脱可能なプロセスカートリッジにおいて、
（ａ）電子写真感光体と、
（ｂ）前記電子写真感光体に形成された静電潜像を現像するために用いられる現像部材と、
（ｃ）前記現像部材によって、前記静電潜像の現像に用いられる現像剤を収納するための現像剤収納部と、
（ｄ）前記現像剤収納部に設けられた開口を塞いでいる塞ぎ部と、
前記塞ぎ部に対して前記現像剤収納部の外側に位置する側に設けられた、前記装置本体に設けられた発光部材から発生せられた光を前記現像剤収納部材内へ導くための光ガイド部と、
前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、
前記塞ぎ部に対して前記現像剤収納部の内側に位置する側に設けられた、前記光ガイド部の長手方向と交差する方向へ傾斜している内側斜面部と、を有し、光透過性の材料で一体成形された第一の光ガイドと、
（ｅ）前記現像剤収納部に設けられた開口を塞いでいる塞ぎ部と、
前記塞ぎ部に対して前記現像剤収納部の外側に位置する側に設けられた、前記現像剤収納部内を通過した光を、前記装置本体に設けられた受光部材へ導くための光ガイド部と、
前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、
前記塞ぎ部に対して前記現像剤収納部の内側に位置する側に設けられた、前記光ガイド部の長手方向と交差する方向へ傾斜している内側斜面部と、を有し、光透過性の材料で一体成形された第二の光ガイドと、
を有することを特徴とするプロセスカートリッジ。
【請求項５】
前記第一の光ガイドと前記第二の光ガイドは、前記現像部材としての現像ローラの長手方向の一端側に設けられている、また、前記プロセスカートリッジが前記装置本体に装着された際に、下方に位置する側に前記第一の光ガイドが設けられている、また、上方に位置する側に前記第二の光ガイドが設けられていることを特徴とする請求項４に記載のプロセスカートリッジ。
【請求項６】
前記現像剤収納部には、収納している現像剤を前記現像部材の設けられている方向へ送り出すための回転送り出し部材が設けられている、そして、前記第一の光ガイドと前記第二の光ガイドが有する内側斜面部は、前記回転送り出し部材が回転するたびに、前記回転送り出し部材の有する可撓性のプラスチックシートが接触することを特徴とする請求項４又は５に記載のプロセスカートリッジ。
【請求項７】
更に、前記塞ぎ部には、前記現像剤収納部内に収納されている現像剤の色を目視することができる目視部が設けられていることを特徴とする請求項４から６の何れか１つに記載のプロセスカートリッジ。
【請求項８】
前記第二の光ガイドは、前記光ガイド部の長手方向において、前記光ガイド部の前記塞ぎ部側の端部とは反対側の端部が凸面であることを特徴とする請求項４から７の何れか１つに記載のプロセスカートリッジ。
【請求項９】
プロセスカートリッジを着脱可能であって、記録媒体に画像を形成するための電子写真画像形成装置において、
（ａ）光を発光する発光部材と、
（ｂ）光を受光する受光部材と、
（ｃ）電子写真感光体と、
（イ）前記電子写真感光体に形成された静電潜像を現像するために用いられる現像部材と、
（ロ）前記現像部材によって、前記静電潜像の現像に用いられる現像剤を収納するための現像剤収納部と、
（ハ）前記現像剤収納部に設けられた開口を塞いでいる塞ぎ部と、
前記塞ぎ部に対して前記現像剤収納部の外側に位置する側に設けられた、前記装置本体に設けられた発光部材から発生せられた光を前記現像剤収納部内へ導くための光ガイド部と、
前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、
前記塞ぎ部に対して前記現像剤収納部の内側に位置する側に設けられた、前記光ガイド部の長手方向と交差する方向へ傾斜している内側斜面部と、を有し、光透過性の材料で一体成形された第一の光ガイドと、
（ニ）前記現像剤収納部に設けられた開口を塞いでいる塞ぎ部と、
前記塞ぎ部に対して前記現像剤収納部の外側に位置する側に設けられた、前記現像剤収納部内を通過した光を、前記装置本体に設けられた受光部材へ導くための光ガイド部と、
前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、
前記塞ぎ部に対して前記現像剤収納部の内側に位置する側に設けられた、前記光ガイド部の長手方向と交差する方向へ傾斜している内側斜面部と、を有し、光透過性の材料で一体成形された第二の光ガイドと、
を有するプロセスカートリッジを取り外し可能に装着するための装着手段と、を有することを特徴とする電子写真画像形成装置。
【手続補正２】
【補正対象書類名】明細書
【補正対象項目名】００１４
【補正方法】変更
【補正の内容】
【００１４】
本出願に係る第４の発明は電子写真画像形成装置本体に着脱可能なプロセスカートリッジにおいて、
（ａ）電子写真感光体と、
（ｂ）前記電子写真感光体に形成された静電潜像を現像するために用いられる現像部材と、
（ｃ）前記現像部材によって、前記静電潜像の現像に用いられる現像剤を収納するための現像剤収納部と、
（ｄ）前記現像剤収納部に設けられた開口を塞いでいる塞ぎ部と、前記塞ぎ部に対して前記現像剤収納部の外側に位置する側に設けられた、前記装置本体に設けられた発光部材から発生せられた光を前記現像剤収納部内へ導くための光ガイド部と、前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、前記塞ぎ部に対して前記現像剤収納部の内側に位置する側に設けられた、前記光ガイド部の長手方向と交差する方向へ傾斜している内側斜面部と、を有し、光透過性の材料で一体成形された第一の光ガイドと、
（ｅ）前記現像剤収納部に設けられた開口を塞いでいる塞ぎ部と、前記塞ぎ部に対して前記現像剤収納部の外側に位置する側に設けられた、前記現像剤収納部内を通過した光を、前記装置本体に設けられた受光部材へ導くための光ガイド部と、前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、前記塞ぎ部に対して前記現像剤収納部の内側に位置する側に設けられた、前記光ガイド部の長手方向と交差する方向へ傾斜している内側斜面部と、を有し、光透過性の材料で一体成形された第二の光ガイドと、を有することを特徴とするプロセスカートリッジである。


【手続補正３】
【補正対象書類名】明細書
【補正対象項目名】００１５
【補正方法】変更
【補正の内容】
【００１５】
本出願に係る第９の発明はプロセスカートリッジを着脱可能であって、記録媒体に画像を形成するための電子写真画像形成装置において、
（ａ）光を発光する発光部材と、
（ｂ）光を受光する受光部材と、
（ｃ）電子写真感光体と、
（イ）前記電子写真感光体に形成された静電潜像を現像するために用いられる現像部材と、
（ロ）前記現像部材によって、前記静電潜像の現像に用いられる現像剤を収納するための現像剤収納部と、
（ハ）前記現像剤収納部に設けられた開口を塞いでいる塞ぎ部と、前記塞ぎ部に対して前記現像剤収納部の外側に位置する側に設けられた、前記装置本体に設けられた発光部材から発生せられた光を前記現像剤収納部内へ導くための光ガイド部と、前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、前記塞ぎ部に対して前記現像剤収納部の内側に位置する側に設けられた、前記光ガイド部の長手方向と交差する方向へ傾斜している内側斜面部と、を有し、光透過性の材料で一体成形された第一の光ガイドと、
（ニ）前記現像剤収納部に設けられた開口を塞いでいる塞ぎ部と、前記塞ぎ部に対して前記現像剤収納部の外側に位置する側に設けられた、前記現像剤収納部内を通過した光を、前記装置本体に設けられ受光部材へ導くための光ガイド部と、前記光ガイド部の長手方向において、前記光ガイド部の前記塞ぎ部側の端部に設けられた、前記塞ぎ部に対して略４５度の傾斜角度でもって、前記光ガイド部の設けられた側へ傾斜している外側斜面部と、前記塞ぎ部に対して前記現像剤収納部の内側に位置する側に設けられた、前記光ガイド部の長手方向と交差する方向へ傾斜している内側斜面部と、を有し、光透過性の材料で一体成形された第二の光ガイドと、を有するプロセスカートリッジを取り出し可能に装着するための装着手段と、を有することを特徴とする電子写真画像形成装置である。